(57)【要約】      （修正有）【課題】機能性成分含有コンタクトレンズ、及びその製品に関する。ほこり、汚れ、煙及び汚染等の環境による各種の目の不快な状況を軽減できる。【解決手段】レンズ本体２０及び少なくとも１つの機能性成分を含み、レンズ本体の重合物マトリックスに、各機能性成分と有効に結合するための少なくとも一つのバインダーを添加し、レンズ本体の材料的な特性を改善し、高い含水量を保持することで、機能性成分がコンタクトレンズから持続的に放出できる。【選択図】図１
2020027247.tif 000002
【特許請求の範囲】
【請求項１】
レンズ本体及び少なくとも１つの機能性成分を含み、
前記レンズ本体は、重合可能組成物の反応生成物であり、
前記重合可能組成物は、重合物マトリックス及び少なくとも１つのバインダーを含み、
前記バインダーは、前記重合物マトリックスに均一に分散され、環状オリゴ糖又は多糖、ポリエチレングリコール（ＰＥＧ）、ポリビニルアルコール（ＰＶＡ）、ポリアクリルアミド（ＰＡＭ）、アルギン酸ナトリウム（Ａｌｇｉｎａｔｅ  ｓｏｄｉｕｍ）、ヒアルロン酸（Ｈｙａｌｕｒｏｎａｔｅ）、ミクロフィブリルセルロース（ＭＰＣ）、ヒドロキシプロピルメチルセルロース（ＨＰＭＣ）、及びそれらの組み合わせからなる群から選ばれ、
前記機能性成分は、前記バインダーにより吸収され、前記レンズ本体に結合し、ビタミン、植物性化学物質、成長因子、治療用化合物、天然誘導成分、生物活性成分、ｐＨ値試薬、及びそれらの組み合わせからなる群から選ばれることを特徴とする、
機能性成分含有コンタクトレンズ。
【請求項２】
前記環状オリゴ糖又は多糖は、シクロデキストリン（ｃｙｃｌｏｄｅｘｔｒｉｎｓ）、シクロイソマルトオリゴ糖（ｃｙｃｌｏ  ｉｓｏｍａｌｔｏ−ｏｌｉｇｏｓａｃｃｈａｒｉｄｅｓ）、アルテルナン（ａｌｔｅｒｎａｎｓ）、環状（１→２）−β−Ｄ−グルカン（Ｃｙｃｌｉｃ  （１→２）−ｂｅｔａ−Ｄ−ｇｌｕｃａｎｓ（ｃｙｃｌｏｓｏｐｈｏｒａｎｓ））、ｃｙｃｌｏｒａｍｉｎａｒａｎｓ、及びシクロフルクタン（ｃｙｃｌｏｆｒｕｃｔａｎｓ）からなる群から選ばれることを特徴とする、請求項１に記載の機能性成分含有コンタクトレンズ。
【請求項３】
前記シクロデキストリンは、α−シクロデキストリン、β−シクロデキストリン、γ−シクロデキストリン、及びそれらの組み合わせからなる群から選ばれることを特徴とする、請求項２に記載の機能性成分含有コンタクトレンズ。
【請求項４】
前記環状オリゴ糖又は多糖は、アルキル基と反応することによって化学修飾されることを特徴とする、請求項１に記載の機能性成分含有コンタクトレンズ。
【請求項５】
前記環状オリゴ糖又は多糖がナノ担体にカップリングすることで、環状オリゴ糖又は多糖ナノ粒子を形成することを特徴とする、請求項１に記載の機能性成分含有コンタクトレンズ。
【請求項６】
前記ナノ担体は、脂質ナノ粒子（ｌｉｐｉｄ  ｎａｎｏｐａｒｔｉｃｌｅ）、リポソーム（ｌｉｐｏｓｏｍｅ）、ミセル（ｍｉｃｅｌｌｅ）、及び界面活性剤集合体（ｓｕｒｆａｃｔａｎｔ  ａｇｇｒｅｇａｔｅ）からなる群から選ばれることを特徴とする、請求項第５項に記載の機能性成分含有コンタクトレンズ。
【請求項７】
前記ビタミンは、ビタミンＢ６、ビタミンＢ１２、ビタミンＣ、及びビタミンＥからなる群から選ばれ、
前記植物性化学物質は、クロロフィル、ビルベリー抽出物（ｂｉｌｂｅｒｒｙ  ｅｘｔｒａｃｔ）、クルクミン、クェルセチン、ルテイン、及びトウキ抽出物からなる群から選ばれ、
前記成長因子は、ＥＧＦ、ＶＥＧＦ、ＰＤＧＦ、レチノイン酸（ｒｅｔｉｎｏｉｃ  ａｃｉｄ）、及びブチリデンフタリド（ｂｕｔｙｌｉｄｅｎｅｐｈｔｈａｌｉｄｅ）からなる群から選ばれ、
前記治療用化合物は、シクロスポリンＡ（ｃｙｃｌｏｓｐｏｒｉｎｅ  Ａ）、エリスロマイシン（ｅｒｙｔｈｒｏｍｙｃｉｎ）、シプロフロキサシン（ｃｉｐｒｏｆｌｏｘａｃｉｎ）、ガチフロキサシン（ｇａｔｉｆｌｏｘａｃｉｎ）、オフロキサシン（ｏｆｌｏｘａｃｉｎ）、ポリミキシンＢ（ｐｏｌｙｍｙｘｉｎ  Ｂ）、ベシフロキサシン（ｂｅｓｉｆｌｏｘａｃｉｎ）、モキシフロキサシン（ｍｏｘｉｆｌｏｘａｃｉｎ）、ゲンタマイシン（ｇｅｎｔａｍｉｃｉｎ）、トブラマイシン（ｔｏｂｒａｍｙｃｉｎ）、ネオマイシン（ｎｅｏｍｙｃｉｎ）、ナタマイシン（ｎａｔａｍｙｃｉｎ）、フルコナゾール（ｆｌｕｃｏｎａｚｏｌｅ）、ボリコナゾール（ｖｏｒｉｃｏｎａｚｏｌｅ）、抗ヒスタミン薬（ａｎｔｉｈｉｓｔａｍｉｎｅｓ）、デキサメタゾン（ｄｅｘａｍｅｔｈａｓｏｎｅ）、マレイン酸チモロール（ｔｉｍｏｌｏｌ  ｍａｌｅａｔｅ）、プエラリン（ｐｕｅｒａｒｉｎ）、塩酸テトラヒドロゾリン（ｔｅｔｒａｈｙｄｒｏｚｏｌｉｎｅ  ｈｙｄｒｏｃｈｌｏｒｉｄｅ）、及びマレイン酸クロルフェニラミン（ｃｈｌｏｒｐｈｅｎｉｒａｍｉｎｅ  ｍａｌｅａｔｅ）からなる群から選ばれ、
前記天然誘導成分は、ゲニステイン（ｇｅｎｉｓｔｅｉｎ）、ミリオシン（ｍｙｒｉｏｃｉｎ）、マンギフェリン（ｍａｎｇｉｆｅｒｉｎ）、バイカリン（ｂａｉｃａｌｉｎ）、竜血（ｒｅｓｉｎａ  ｄｒａｃｏｎｉｓ）、テトランドリン（ｔｅｔｒａｎｄｒｉｎｅ）、リコペン（ｌｙｃｏｐｅｎｅ）、アントシアニン（ａｎｔｈｏｃｙａｎｉｎ）、及びそれらの組み合わせからなる群から選ばれ、
前記生物活性成分は、幹細胞から抽出されたミトコンドリア（ｍｉｔｏｃｈｏｎｄｒｉａ）であり、
前記ｐＨ値試薬は、アントシアニン（ａｎｔｈｏｃｙａｎｉｎｓ）又はフラビン（ｆｌａｖｉｎｓ）であることを特徴とする、請求項１に記載の機能性成分含有コンタクトレンズ。
【請求項８】
前記機能性成分は、前記レンズ本体総重量の０．５〜５％を占めることを特徴とする、請求項１に記載の機能性成分含有コンタクトレンズ。
【請求項９】
前記レンズ本体は、旋盤切断（ｌａｔｈｅ−ｃｕｔｔｉｎｇ）、鋳造成形（ｃａｓｔ−ｍｏｌｄｉｎｇ）、スピンコーティング（ｓｐｉｎ  ｃｏａｔｉｎｇ）、ＵＶ硬化（ＵＶ  ｃｕｒｉｎｇ）又は熱硬化（ｈｅａｔ  ｃｕｒｉｎｇ）等の方法により製造されることを特徴とする、請求項１に記載の機能性成分含有コンタクトレンズ。
【請求項１０】
レンズ本体及び包装物を含み、
前記レンズ本体は、重合可能組成物の反応生成物であり、
前記重合可能組成物は、重合物マトリックス及び少なくとも１つのバインダーを含み、
前記バインダーは、前記重合物マトリックスに均一に分散され、環状オリゴ糖又は多糖、ポリエチレングリコール（ＰＥＧ）、ポリビニルアルコール（ＰＶＡ）、ポリアクリルアミド（ＰＡＭ）、アルギン酸ナトリウム（Ａｌｇｉｎａｔｅ  ｓｏｄｉｕｍ）、ヒアルロン酸（Ｈｙａｌｕｒｏｎａｔｅ）、ミクロフィブリルセルロース（ＭＰＣ）、ヒドロキシプロピルメチルセルロース（ＨＰＭＣ）、及びそれらの組み合わせからなる群から選ばれ、
前記包装物は、前記レンズ本体を浸漬する緩衝液を含み、
前記緩衝液は、少なくとも１つの機能性成分を有し、
前記機能性成分は、前記バインダーにより吸収され前記レンズ本体に結合し、ビタミン、植物性化学物質、成長因子、治療用化合物、天然誘導成分、生物活性成分、ｐＨ値試薬、及びそれらの組み合わせからなる群から選ばれることを特徴とする、
機能性成分含有コンタクトレンズ製品。
【請求項１１】
前記環状オリゴ糖又は多糖は、シクロデキストリン（ｃｙｃｌｏｄｅｘｔｒｉｎｓ）、シクロイソマルトオリゴ糖（ｃｙｃｌｏ  ｉｓｏｍａｌｔｏ−ｏｌｉｇｏｓａｃｃｈａｒｉｄｅｓ）、アルテルナン（ａｌｔｅｒｎａｎｓ）、環状（１→２）−β−Ｄ−グルカン（Ｃｙｃｌｉｃ  （１→２）−ｂｅｔａ−Ｄ−ｇｌｕｃａｎｓ  （ｃｙｃｌｏｓｏｐｈｏｒａｎｓ））、ｃｙｃｌｏｒａｍｉｎａｒａｎｓ、及びシクロフルクタン（ｃｙｃｌｏｆｒｕｃｔａｎｓ）からなる群から選ばれることを特徴とする、請求項１０に記載の機能性成分含有コンタクトレンズ製品。
【請求項１２】
前記シクロデキストリンは、α−シクロデキストリン、β−シクロデキストリン、γ−シクロデキストリン、及びそれらの組み合わせからなる群から選ばれることを特徴とする、請求項１１に記載の機能性成分含有コンタクトレンズ製品。
【請求項１３】
前記環状オリゴ糖又は多糖は、アルキル基と反応することによって化学修飾されることを特徴とする、請求項１０に記載の機能性成分含有コンタクトレンズ製品。
【請求項１４】
前記環状オリゴ糖又は多糖がナノ担体にカップリングすることで、環状オリゴ糖又は多糖ナノ粒子を形成することを特徴とする、請求項１０に記載の機能性成分含有コンタクトレンズ製品。
【請求項１５】
前記ナノ担体は、脂質ナノ粒子（ｌｉｐｉｄ  ｎａｎｏｐａｒｔｉｃｌｅ）、リポソーム（ｌｉｐｏｓｏｍｅ）、ミセル（ｍｉｃｅｌｌｅ）、及び界面活性剤集合体（ｓｕｒｆａｃｔａｎｔ  ａｇｇｒｅｇａｔｅ）からなる群から選ばれることを特徴とする、請求項１４に記載の機能性成分含有コンタクトレンズ製品。
【請求項１６】
前記ビタミンは、ビタミンＢ６、ビタミンＢ１２、ビタミンＣ、及びビタミンＥからなる群から選ばれ、
前記植物性化学物質は、クロロフィル、ビルベリー抽出物（ｂｉｌｂｅｒｒｙ  ｅｘｔｒａｃｔ）、クルクミン、クェルセチン、ルテイン、及びトウキ抽出物からなる群から選ばれ、
前記成長因子は、ＥＧＦ、ＶＥＧＦ、ＰＤＧＦ、レチノイン酸（ｒｅｔｉｎｏｉｃ  ａｃｉｄ）、及びブチリデンフタリド（ｂｕｔｙｌｉｄｅｎｅｐｈｔｈａｌｉｄｅ）からなる群から選ばれ、
前記治療用化合物は、シクロスポリンＡ（ｃｙｃｌｏｓｐｏｒｉｎｅ  Ａ）、エリスロマイシン（ｅｒｙｔｈｒｏｍｙｃｉｎ）、シプロフロキサシン（ｃｉｐｒｏｆｌｏｘａｃｉｎ）、ガチフロキサシン（ｇａｔｉｆｌｏｘａｃｉｎ）、オフロキサシン（ｏｆｌｏｘａｃｉｎ）、ポリミキシンＢ（ｐｏｌｙｍｙｘｉｎ  Ｂ）、ベシフロキサシン（ｂｅｓｉｆｌｏｘａｃｉｎ）、モキシフロキサシン（ｍｏｘｉｆｌｏｘａｃｉｎ）、ゲンタマイシン（ｇｅｎｔａｍｉｃｉｎ）、トブラマイシン（ｔｏｂｒａｍｙｃｉｎ）、ネオマイシン（ｎｅｏｍｙｃｉｎ）、ナタマイシン（ｎａｔａｍｙｃｉｎ）、フルコナゾール（ｆｌｕｃｏｎａｚｏｌｅ）、ボリコナゾール（ｖｏｒｉｃｏｎａｚｏｌｅ）、抗ヒスタミン薬（ａｎｔｉｈｉｓｔａｍｉｎｅｓ）、デキサメタゾン（ｄｅｘａｍｅｔｈａｓｏｎｅ）、マレイン酸チモロール（ｔｉｍｏｌｏｌ  ｍａｌｅａｔｅ）、プエラリン（ｐｕｅｒａｒｉｎ）、塩酸テトラヒドロゾリン（ｔｅｔｒａｈｙｄｒｏｚｏｌｉｎｅ  ｈｙｄｒｏｃｈｌｏｒｉｄｅ）、及びマレイン酸クロルフェニラミン（ｃｈｌｏｒｐｈｅｎｉｒａｍｉｎｅ  ｍａｌｅａｔｅ）からなる群から選ばれ、
前記天然誘導成分は、ゲニステイン（ｇｅｎｉｓｔｅｉｎ）、ミリオシン（ｍｙｒｉｏｃｉｎ）、マンギフェリン（ｍａｎｇｉｆｅｒｉｎ）、バイカリン（ｂａｉｃａｌｉｎ）、竜血（ｒｅｓｉｎａ  ｄｒａｃｏｎｉｓ）、テトランドリン（ｔｅｔｒａｎｄｒｉｎｅ）、リコペン（ｌｙｃｏｐｅｎｅ）、アントシアニン（ａｎｔｈｏｃｙａｎｉｎ）、及びそれらの組み合わせからなる群から選ばれ、
前記生物活性成分は幹細胞から抽出されたミトコンドリア（ｍｉｔｏｃｈｏｎｄｒｉａ）であり、
前記ｐＨ値試薬はアントシアニン（ａｎｔｈｏｃｙａｎｉｎｓ）又はフラビン（ｆｌａｖｉｎｓ）であることを特徴とする、請求項１０に記載の機能性成分含有コンタクトレンズ製品。
【請求項１７】
前記緩衝液における前記機能性成分の重量／体積比が０．５〜５％であることを特徴とする、請求項１０に記載の機能性成分含有コンタクトレンズ製品。
【請求項１８】
前記レンズ本体は、旋盤切断（ｌａｔｈｅ−ｃｕｔｔｉｎｇ）、鋳造成形（ｃａｓｔ−ｍｏｌｄｉｎｇ）、スピンコーティング（ｓｐｉｎ  ｃｏａｔｉｎｇ）、ＵＶ硬化（ＵＶ  ｃｕｒｉｎｇ）又は熱硬化（ｈｅａｔ  ｃｕｒｉｎｇ）等の方法により製造されることを特徴とする、請求項１０に記載の機能性成分含有コンタクトレンズ製品。
【発明の詳細な説明】
【技術分野】
【０００１】
本発明は、コンタクトレンズ、特に機能性成分含有コンタクトレンズ及びその製品に関する。コンタクトレンズにおける重合物マトリックスを必要な機能性成分と結合させることで、使用期間にその機能性成分を安定に放出できる。
【背景技術】
【０００２】
近視等視力の悪化又は退化を患う人々にとって、コンタクトレンズは、普通のメガネに取って代わり視力問題を矯正できる人気の高い選択の１つであり、ファッションステートメントの１つである。光学部の周囲にカラーデザインを有するコンタクトレンズは、多くの国でファッションに必須のアクセサリーとなっている。一部のタイプのコンタクトレンズは、視力矯正、及び利用者に特別なスタイルを与えるという二重の機能を有する。
【０００３】
コンタクトレンズは、製造に用いられる材料によって、ハードレンズ及びソフトレンズに分類されている。コンタクトレンズの製造に用いられる材料は、実例として、シリコーンモノマー、ポリ（２−ヒドロキシエチルメタクリレート）（ｐＨＥＭＡ、Ｐｏｌｙ（２−ｈｙｄｒｏｘｙｅｔｈｙｌ  ｍｅｔｈａｃｒｙｌａｔｅ））、及び両者の組み合わせが挙げられる。ソフトコンタクトレンズは、通常、比較的安いため、各市場で広く普及されている。しかし、ソフトコンタクトレンズの製造に用いられる材料は、角膜の酸素不足となる可能性がある。一方、シリコーンモノマーは上記問題を克服できるが、例えば、疎水性、及びレンズへの付着物の蓄積等、多くの課題がある。したがって、たとえコンタクトレンズ材料の特性が改善されたとしても、コンタクトレンズに関していくつかの問題は依然存在している。
【０００４】
コンタクトレンズの使用に関する主要な問題の１つは、長期間の使用による目に対する刺激である。目の細胞への刺激、酸素不足、及びコンタクトレンズの形状や表面による不快などは、コンタクトレンズの使用によって引き起こされる、目の炎症に関する原因と言われている。コンタクトレンズの使用が影響するもう１つの主要な問題としては、コンタクトレンズ使用時の乾燥状況である。よって、１つのコンタクトレンズで、異なる原因による全ての問題を解決できることは非常に困難である。
【０００５】
コンタクトレンズの使用による不快又は刺激を改善する方法としては、特定の機能性成分を目に届けることである。選択される機能性成分は、目の構造の各領域に対して、例えば、炎症の減少、毛様体筋の弛緩、及び冷却感の提供等の色々な効果を有する。従来の点眼液と比べて、このような機能性成分をコンタクトレンズにより目に届けることは、有利な伝達方法である。しかし、点眼液を使用した場合、大部分の機能性成分は、鼻涙系中の排液により失われ、その他部分も、目の動作（例えば、瞬き、及び涙液の持続分泌）につれて流失する。
【０００６】
コンタクトレンズを装着することで、このような有益な機能性成分が眼部領域に運ばれ、且つ長時間に安定に放出できる。機能性成分は、眼部領域の各動作により流失されない。よって、本発明は、機能性成分含有コンタクトレンズ及びその製品が開示されている。コンタクトレンズに少なくとも一つのバインダー、例えば天然な環状オリゴ糖又は多糖を分散する。バインダーは、有益な機能性成分と有効に結合し、機能性成分を安定に放出できる。
【発明の概要】
【発明が解決しようとする課題】
【０００７】
上記事情を鑑み、本発明の主な目的は、機能性成分含有コンタクトレンズ、及びその製品を提供する。コンタクトレンズの重合物マトリックスに少なくとも一つのバインダー、例えば環状オリゴ糖又は多糖を均一に分布させる。これによって、このバインダーは、各機能性成分を吸収し、レンズ本体から機能性成分を長時間に安定に放出できる。
【０００８】
本発明の他の目的は、機能性成分含有コンタクトレンズ及びその製品を提供する。機能性成分とコンタクトレンズに存在するバインダーとを結合した後、コンタクトレンズからの機能性成分が眼部環境に安定に放出することで、目の不快になる各状況を改善できる。
【課題を解決するための手段】
【０００９】
上記目的を達成するため、本発明は、レンズ本体及び少なくとも１つの機能性成分を含む、機能性成分含有コンタクトレンズを提供する。その内、このレンズ本体は、重合可能組成物の反応生成物である。この重合可能組成物は、重合物マトリックス及び少なくとも１つのバインダーを含む。バインダーは、この重合物マトリックスに均一に分散され、環状オリゴ糖又は多糖、ポリエチレングリコール（ＰＥＧ）、ポリビニルアルコール（ＰＶＡ）、ポリアクリルアミド（ＰＡＭ）、アルギン酸ナトリウム（Ａｌｇｉｎａｔｅ  ｓｏｄｉｕｍ）、ヒアルロン酸（Ｈｙａｌｕｒｏｎａｔｅ）、ミクロフィブリルセルロース（ＭＰＣ）、ヒドロキシプロピルメチルセルロース（ＨＰＭＣ）、及びそれらの組み合わせからなる群から選ばれる。この機能性成分は、重合物マトリックスに分散されたバインダーにより吸収され、レンズ本体に有効に結合する。機能性成分は、ビタミン、植物性化学物質、成長因子、治療用化合物、天然誘導成分、生物活性成分、ｐＨ値試薬、及びそれらの組み合わせからなる群から選ばれる。利用者がコンタクトレンズを装着するとき、機能性成分を安定に放出できる。
【００１０】
上記機能性成分含有コンタクトレンズにおいて、機能性成分は、好ましくはレンズ本体総重量の０．５〜５％を占める。
【００１１】
また、本発明は、レンズ本体及び包装物を含む、機能性成分含有コンタクトレンズを提供する。その内、このレンズ本体は、重合可能組成物の反応生成物である。この重合可能組成物は、重合物マトリックス及び少なくとも１つのバインダーを含む。バインダーは、この重合物マトリックスに均一に分散され、環状オリゴ糖又は多糖、ポリエチレングリコール（ＰＥＧ）、ポリビニルアルコール（ＰＶＡ）、ポリアクリルアミド（ＰＡＭ）、アルギン酸ナトリウム（Ａｌｇｉｎａｔｅ  ｓｏｄｉｕｍ）、ヒアルロン酸（Ｈｙａｌｕｒｏｎａｔｅ）、ミクロフィブリルセルロース（ＭＰＣ）、ヒドロキシプロピルメチルセルロース（ＨＰＭＣ）、及びそれらの組み合わせからなる群から選ばれる。包装物は、このレンズ本体を浸漬する緩衝液を含む。この緩衝液は、少なくとも１つの機能性成分を有する。この機能性成分は、重合物マトリックスに分散されたバインダーにより吸収され、レンズ本体に有効に結合する。機能性成分は、ビタミン、植物性化学物質、成長因子、治療用化合物、天然誘導成分、生物活性成分、ｐＨ値試薬、及びそれらの組み合わせからなる群から選ばれる。利用者がレンズ本体を包装物の緩衝液中から取り出し眼部に装着したとき、レンズ本体が機能性成分を利用者の眼部領域に安定に放出することで、目の不快になる各状況を改善できる。
【００１２】
上記機能性成分含有コンタクトレンズは、緩衝液における機能性成分の重量／体積比が０．５〜５％である。
【００１３】
本発明の機能性成分含有コンタクトレンズ及びその製品によれば、バインダーが環状オリゴ糖又は多糖である実施例において、環状オリゴ糖又は多糖が各機能性成分と錯体を形成できる。また、この錯体の形成が純粋的な可逆現象であるため、機能性成分は錯体から安定に放出できる。他の側面から見ると、本発明のレンズ本体を高濃度の機能性成分領域内に配置することで、必要な機能性成分は、レンズ本体内の重合物マトリックス内の環状オリゴ糖又は多糖と錯体化できる。さらに、レンズ本体を機能性成分濃度が低い領域（例えば、利用者の眼部領域）に配置したとき、錯体は、自身が有する機能性成分を安定に放出できる。よって、機能性成分が有する有益効果を発揮できる。
【００１４】
以下、本発明の目的、技術内容、特徴及び達成できる効果を更に理解するために、具体的な実施例により本発明を説明する。
【図面の簡単な説明】
【００１５】
【図１】機能性成分含有コンタクトレンズ製品の概略図である。
【図２】３８％ＨＥＭＡのコンタクトレンズのビタミンＢ１２累積放出量のテスト結果である。
【図３】４３％シリコーンハイドロゲルのコンタクトレンズのビタミンＢ１２累積放出量のテスト結果である。
【図４】３８％ＨＥＭＡコンタクトレンズのクルクミン累積放出量のテスト結果である。
【図５】３８％ＨＥＭＡコンタクトレンズのクェルセチン累積放出量のテスト結果である。
【図６】３８％ＨＥＭＡコンタクトレンズのルテイン累積放出量のテスト結果である。
【発明を実施するための形態】
【００１６】
本発明は、レンズ本体及び少なくとも１つの機能性成分を含む、機能性成分含有コンタクトレンズを開示する。その内、レンズ本体は重合可能組成物の反応生成物である。重合可能組成物は、重合物マトリックスに少なくとも１つのバインダーを均一に分散してなる。また、機能性成分が重合物マトリックスに分布されたバインダーにより吸収されて、レンズ本体に結合される。
【００１７】
本発明において、コンタクトレンズは、光重合又は熱重合成型技術によって製造された重合物の膜であり、旋盤切断（ｌａｔｈｅ−ｃｕｔｔｉｎｇ）、鋳造成形（ｃａｓｔ−ｍｏｌｄｉｎｇ）、スピンコーティング（ｓｐｉｎ  ｃｏａｔｉｎｇ）、ＵＶ硬化（ＵＶ  ｃｕｒｉｎｇ）又は熱硬化（ｈｅａｔ  ｃｕｒｉｎｇ）等の方法により製造される。当業者が分かるように、コンタクトレンズのレンズ本体に製造する重合物マトリックスは、親水性モノマー（例えばポリ（２−ヒドロキシエチルメタクリレート）（ｐＨＥＭＡ、Ｐｏｌｙ（２−ｈｙｄｒｏｘｙｅｔｈｙｌ  ｍｅｔｈａｃｒｙｌａｔｅｓ）等）、疎水性モノマー（シリコーン（Ｓｉｌｉｃｏｎｅｓ）等）、又は両者の組み合わせであるモノマー混合物が挙げられる。また、モノマー混合物は、他の特殊機能を有する物質及び成分、例えば、光開始剤又は熱開始剤、及びコンタクトレンズ親水性向上添加剤等を含有できる。特定タイプのコンタクトレンズが機能性成分を安定に放出できるように、モノマー混合物にバインダーを均一に分布させる必要がある。また、バインダーの使用量は、溶解度によって決められる。例えば、１〜５％（ｖ／ｖ）の比率で、バインダー溶液をモノマー混合物に加え、攪拌後に脱気することで、レンズを製造する。本発明において、バインダーとは、多様な方法で機能性成分を吸収、保存できる薬剤である。活性成分をバインダーにより吸収、保存する方法としては、錯体効果（ｃｏｍｐｌｅｘａｔｉｏｎ  ｅｆｆｅｃｔ）、マトリックス効果（ｍａｔｒｉｘ  ｅｆｆｅｃｔ）、イオン吸引効果（ｉｏｎｉｃ  ａｔｔｒａｃｔｉｏｎ  ｅｆｆｅｃｔ）、及びこれらの組み合せが挙げられる。これらのバインダーの材料は、環状オリゴ糖又は多糖、ポリエチレングリコール（ＰＥＧ）、ポリビニルアルコール（ＰＶＡ）、ポリアクリルアミド（ＰＡＭ）、アルギン酸ナトリウム（Ａｌｇｉｎａｔｅ  ｓｏｄｉｕｍ）、ヒアルロン酸（Ｈｙａｌｕｒｏｎａｔｅ）、ミクロフィブリルセルロース（ＭＰＣ）、ヒドロキシプロピルメチルセルロース（ＨＰＭＣ）、及びそれらの組み合わせが挙げられるが、それらに限定されない。
【００１８】
本発明において、バインダーを重合物マトリックスに添加することにより、レンズ本体の材料的な性質を変更できる他、例えば、摩擦を減らして柔軟度を増加する、レンズ本体を装着するときの快適性を高める、より多くの水分を保持できる、水分と機能性成分の結合により機能性成分を持続的に放出できる等の効果を達成できる。
【００１９】
環状オリゴ糖／多糖は、環状に結合した糖分子からなる化合物である。糖分子が環状結合して繰り返す単位を形成するので、この環状オリゴ糖／多糖は、使用する糖分子により異なる化合物が得られる。これらの化合物は、シクロデキストリン（ｃｙｃｌｏｄｅｘｔｒｉｎｓ）、シクロイソマルトオリゴ糖（ｃｙｃｌｏ  ｉｓｏｍａｌｔｏ−ｏｌｉｇｏｓａｃｃｈａｒｉｄｅｓ）、アルテルナン（ａｌｔｅｒｎａｎｓ）、環状（１→２）−β−Ｄ−グルカン（Ｃｙｃｌｉｃ  （１→２）−ｂｅｔａ−Ｄ−ｇｌｕｃａｎｓ  （ｃｙｃｌｏｓｏｐｈｏｒａｎｓ））、ｃｙｃｌｏｒａｍｉｎａｒａｎｓ、及びシクロフルクタン（ｃｙｃｌｏｆｒｕｃｔａｎｓ）が挙げられるが、それらに限定されない。本発明に用いられるシクロデキストリンは、α−シクロデキストリン、β−シクロデキストリン、γ−シクロデキストリン、及びこれらの組み合わせからなる群から選ばれる。これらの化合物は、特定の環状構造により他の物質と錯体化できる。通常、ゲスト−ホスト化合物（ｇｕｅｓｔ−ｈｏｓｔ  ｃｏｍｐｏｕｎｄｓ）又は包接体（ｃｌａｔｈｒａｔｅｓ）と称する。この場合、包接される化合物（ゲスト）は通常、環状オリゴ糖／多糖（ホスト）の内部に取り込まれる。
【００２０】
また、環状オリゴ糖又は多糖は、特定のアルキル基と反応することによって化学修飾することで、疎水性機能性成分又は親水性機能性成分との結合をさらに強化できる。さらに、環状オリゴ糖又は多糖がナノ担体にカップリングすることで、環状オリゴ糖又は多糖ナノ粒子を形成してレンズ本体の重合物マトリックス内に分散できる。環状オリゴ糖又は多糖ナノ粒子は、ナノ担体内に存在する、小さい環状オリゴ糖又は多糖である。このような構造により、オリゴ糖又は多糖によって機能性成分とレンズ本体とをより好ましく結合できる。本発明に用いられるナノ担体は、脂質ナノ粒子（ｌｉｐｉｄ  ｎａｎｏｐａｒｔｉｃｌｅ）、リポソーム（ｌｉｐｏｓｏｍｅ）、ミセル（ｍｉｃｅｌｌｅ）、及び界面活性剤集合体（ｓｕｒｆａｃｔａｎｔ  ａｇｇｒｅｇａｔｅ）からなる群から選ばれる。
【００２１】
本発明は、下記工程を含むレンズ本体の製造方法を例示する。
まず、ヒドロキシエチルメタクリレート（ｈｙｄｒｏｘｙｅｔｈｙｌ  ｍｅｔｈａｃｒｙｌａｔｅ）５０ｇを計量し、メタクリル酸（ＭＡＡ、ｍｅｔｈａｃｒｙｌｉｃ  ａｃｉｄ）２ｇを加える。そして、重合開始剤である２−ヒドロキシ−２−メチル−１−フェニル−プロパン−１−オン（２−Ｈｙｄｒｏｘｙ−２−ｍｅｔｈｙｌ−１−ｐｈｅｎｙｌ−ｐｒｏｐａｎ−１−ｏｎｅ）（Ｃｉｂａ  Ｄａｒｏｃｕｒ  １１７３）１ｇ、及びエチレングリコールジメタクリレート（ＥＧＤＭＡ、ｅｔｈｙｌｅｎｅ  ｇｌｙｃｏｌ  ｄｉｍｅｔｈａｃｒｙｌａｔｅ）１ｇを加え、モノマー混合物を得る。このモノマー混合物を３５℃、２００回転／分間で１時間攪拌する。また、α−シクロデキストリン２５ｍｇを計量して、脱イオン水１ｍｌに溶解させ、４５℃、２５０ｒｐｍで１時間攪拌する。完全溶解した後、α−シクロデキストリンの水溶液を上記モノマー混合物に加え、例えば、α−シクロデキストリン水溶液５ｍｌをＨＥＭＡ−ＭＡＡ−Ｄａｒｏｃｕｒ  １１７３−ＥＧＤＭＡのモノマー混合物９９５ｍｌに加え、澄むまで攪拌する。そして、この溶液を型に流し込み、波長３１０〜３７０ｎｍであるＵＶ光を利用して、光度エネルギー２８〜３２（ｍＷ／ｃｍ２）で４０分間硬化させる。その後、適切な溶剤でレンズを離型させ、さらに適切な溶剤で型から取り出す。最後に、レンズを充分洗浄することで、未反応のモノマー及びその他の試薬を除去する。
【００２２】
また、本発明は、下記工程を含む、環状オリゴ糖又は多糖を修飾する反応方法を例示する。
まず、４５℃、２５０ｒｐｍで１時間攪拌し、β−シクロデキストリン２２ｍｇを脱イオン水１ｍｌに溶解させる。この溶液にクロロ酢酸０．１ｍｌを加える。得た混合物を６０℃まで加熱し、３００ｒｐｍで４時間攪拌する。その後、白色の細かい粉末を得るまで、溶液混合物を７０℃のオーブンで真空乾燥させる。この粉末は化学修飾された環状オリゴ糖である。
【００２３】
さらに、本発明は、下記工程を含む環状オリゴ糖又は多糖ナノ粒子の調製を例示する。
イソプロピルアルコール（ｉｓｏｐｒｏｐｙｌ  ａｌｃｏｈｏｌ）、オクタデシルアミン（ｏｃｔａｄｅｃｙｌａｍｉｎｅ）、及びグリセリルジベヘネート（ｇｌｙｃｅｒｙｌ  ｄｉｂｅｈｅｎａｔｅ）を使用して、脂質ナノ粒子を調製する。乾燥後、脱イオン水を加えて適切に混合し、脂質ナノ粒子の溶液を得る。このような脂質ナノ粒子溶液に上記シクロデキストリン又はそれらの組み合わせを加える。最後に、溶液を攪拌した後、上記のモノマー混合物と混合して適切な混合物を得る。
【００２４】
本発明において、機能性成分とは、眼部領域の組織に対し、ある程度の有益効果を有する各物質である。本発明に用いられる機能性成分は、ビタミン、植物性化学物質、成長因子、治療用化合物、天然誘導成分、生物活性成分、ｐＨ値試薬、及びそれらの組み合わせが挙げられるが、それらに限定されない。具体的には、ビタミンは、ビタミンＢ６、ビタミンＢ１２、ビタミンＣ、及びビタミンＥからなる群から選ばれる。植物性化学物質は、クロロフィル、ビルベリー抽出物（ｂｉｌｂｅｒｒｙ  ｅｘｔｒａｃｔ）、クルクミン、クェルセチン、ルテイン、及びトウキ抽出物からなる群から選ばれる。成長因子は、ＥＧＦ（Ｅｐｉｄｅｒｍａｌ  ｇｒｏｗｔｈ  ｆａｃｔｏｒ）、ＶＥＧＦ（ｖａｓｃｕｌａｒ  ｅｎｄｏｔｈｅｌｉａｌ  ｇｒｏｗｔｈ  ｆａｃｔｏｒ）、ＰＤＧＦ（ｐｌａｔｅｌｅｔ−ｄｅｒｉｖｅｄ  ｇｒｏｗｔｈ  ｆａｃｔｏｒ）、レチノイン酸（ｒｅｔｉｎｏｉｃ  ａｃｉｄ）、及びブチリデンフタリド（ｂｕｔｙｌｉｄｅｎｅｐｈｔｈａｌｉｄｅ）からなる群から選ばれる。治療用化合物は、シクロスポリンＡ（ｃｙｃｌｏｓｐｏｒｉｎｅ  Ａ）、エリスロマイシン（ｅｒｙｔｈｒｏｍｙｃｉｎ）、シプロフロキサシン（ｃｉｐｒｏｆｌｏｘａｃｉｎ）、ガチフロキサシン（ｇａｔｉｆｌｏｘａｃｉｎ）、オフロキサシン（ｏｆｌｏｘａｃｉｎ）、ポリミキシンＢ（ｐｏｌｙｍｙｘｉｎ  Ｂ）、ベシフロキサシン（ｂｅｓｉｆｌｏｘａｃｉｎ）、モキシフロキサシン（ｍｏｘｉｆｌｏｘａｃｉｎ）、ゲンタマイシン（ｇｅｎｔａｍｉｃｉｎ）、トブラマイシン（ｔｏｂｒａｍｙｃｉｎ）、ネオマイシン（ｎｅｏｍｙｃｉｎ）、ナタマイシン（ｎａｔａｍｙｃｉｎ）、フルコナゾール（ｆｌｕｃｏｎａｚｏｌｅ）、ボリコナゾール（ｖｏｒｉｃｏｎａｚｏｌｅ）、抗ヒスタミン薬（ａｎｔｉｈｉｓｔａｍｉｎｅｓ）、デキサメタゾン（ｄｅｘａｍｅｔｈａｓｏｎｅ）、マレイン酸チモロール（ｔｉｍｏｌｏｌ  ｍａｌｅａｔｅ）、プエラリン（ｐｕｅｒａｒｉｎ）、塩酸テトラヒドロゾリン（ｔｅｔｒａｈｙｄｒｏｚｏｌｉｎｅ  ｈｙｄｒｏｃｈｌｏｒｉｄｅ）、及びマレイン酸クロルフェニラミン（ｃｈｌｏｒｐｈｅｎｉｒａｍｉｎｅ  ｍａｌｅａｔｅ）からなる群から選ばれる。天然誘導成分は、ゲニステイン（ｇｅｎｉｓｔｅｉｎ）、ミリオシン（ｍｙｒｉｏｃｉｎ）、マンギフェリン（ｍａｎｇｉｆｅｒｉｎ）、バイカリン（ｂａｉｃａｌｉｎ）、竜血（ｒｅｓｉｎａ  ｄｒａｃｏｎｉｓ）、テトランドリン（ｔｅｔｒａｎｄｒｉｎｅ）、リコペン（ｌｙｃｏｐｅｎｅ）、アントシアニン（ａｎｔｈｏｃｙａｎｉｎ）、及びそれらの組み合わせからなる群から選ばれる。生物活性成分は幹細胞（Ｓｔｅｍ  ｃｅｌｌｓ）から抽出されたミトコンドリア（ｍｉｔｏｃｈｏｎｄｒｉａ）である。また、他の機能性成分として、ｐＨ値試薬、例えば、アントシアニン（ａｎｔｈｏｃｙａｎｉｎｓ）又はフラビン（ｆｌａｖｉｎｓ）が挙げられる。本発明に用いられる機能性成分の使用量は機能性成分によって決められる。具体的には、機能性成分の使用量の範囲は、およそレンズ本体総重量の０．５〜５％を占める。レンズ本体を高濃度の機能性成分の領域に浸漬することで、機能性成分と環状オリゴ糖又は多糖等のバ���ンダーとを結合できる。
【００２５】
本発明に用いられる機能性成分は、眼部領域に対して少なくとも１つの効果を提供できる。例えば、快適感の提供（ビタミンＢ６）、毛様体筋の弛緩（ビタミンＢ１２）、潤い感の提供（ビタミンＢ６及びＢ１２）、炎症の減少（ビタミンＢ１２、クルクミン）、フリーラジカルによる損傷の減少（クェルセチン、ルテイン、クロロフィル、ビルベリー抽出物（ｂｉｌｂｅｒｒｙ  ｅｘｔｒａｃｔ））、酸素不足及びドライアイによる炎症と赤みの減少（ビタミンＢ１２、クルクミン、クェルセチン）、加齢黄斑変性の発生確率の低減（ルテイン）、眼内圧の降下（チモロールマレイン酸塩及びデキサメタゾン）、真菌又は細菌による感染の減少（エリスロマイシン、シプロフロキサシン、ガチフロキサシン、オフロキサシン、ポリミキシンＢ、ベシフロキサシン、モキシフロキサシン、ゲンタマイシン、トブラマイシン、ネオマイシン、ナタマイシン、フルコナゾール及びボリコナゾール）、アレルギー反応の減少（抗ヒスタミン薬）、眼細胞の再生潜在能の向上（ＥＧＦ、ＶＥＧＦ、ＰＤＧＦ、レチノイン酸、ブチリデンフタリド）、及び健康な眼部組織の全体的な増加（幹細胞から抽出されたミトコンドリア）が挙げられるが、これらに限定されない。また、他の機能性成分、例えばアントシアニン（ａｎｔｈｏｃｙａｎｉｎｓ）、フラビン（ｆｌａｖｉｎｓ）等のｐＨ値試薬は、目と接触したときに涙液のｐＨ値を検測できる。涙液のｐＨ値の変化は、病気の診断方法に用いられる。
【００２６】
機能性成分とレンズ本体内のバインダーを結合させるために、高濃度の機能性成分を有する領域にレンズ本体を浸漬できる。実際に応用する場合、本発明の機能性成分含有コンタクトレンズは、通常、コンタクトレンズ製品を利用して機能性成分と結合する。したがって、図１に示すように、本発明は、レンズ本体２０及び包装物３０を含む、機能性成分含有コンタクトレンズ製品１０を開示する。その内、レンズ本体２０は重合可能組成物の反応生成物である。重合可能組成物は、重合物マトリックスに均一に分散される少なくとも一つのバインダーからなる。レンズ本体２０は、ポリプロピレン容器内の無菌緩衝液４０に包装される。緩衝液４０は、バインダーに吸収できる機能性成分を有する。よって、機能性成分をレンズ本体２０に結合できる。
【００２７】
本発明の包装物３０に含有する緩衝液４０とは、ポリプロピレン容器内に保存されるコンタクトレンズのｐＨを調整する溶液である。本発明において、緩衝液４０は、以下の緩衝系のいずれかを使用して調製できる。
リン酸塩、ホウ酸塩、トリスヒドロキシメチルアミノメタン（ＴＲＩＳ）、３−モルホリノプロパンスルホン酸（ＭＯＰＳ）、２−［４−（２−ヒドロキシエチル）−１−ピペラジニル］エタンスルホン酸（ＨＥＰＥＳ）等である。
緩衝液４０に任意の１つ又は複数の機能性成分を加え、緩衝液４０における機能性成分の重量／体積比が０．５〜５％である。例えば、水１０００ｍｌに、塩化ナトリウム８ｇ、リン酸水素二ナトリウム二水和物２．５ｇ、リン酸二水素ナトリウム二水和物塩０．４ｇを加えて、緩衝液４０を調製する。緩衝液４０に１００ｍｇのビタミンＢ１２を加えて攪拌する。最後に、緩衝液４０を利用してコンタクトレンズのレンズ本体２０を容器に保存し、蒸気加熱又はガンマ線で滅菌して、本発明の機能性成分含有コンタクトレンズ製品１０を得る。
【００２８】
本発明を実現するために、機能性成分に対応して緩衝液４０の組成を調整することで、緩衝液４０を必要なｐＨ及び浸透圧に維持する。例えば、適切な濃度のビタミンＢ１２を利用して緩衝液４０を調製できる。もちろん、他のビタミンＢ１２と類似の機能性成分もこの方法で調製できる。
【００２９】
本発明の機能性成分含有コンタクトレンズ製品１０によれば、目に必要な有益効果を与える。例えば、抗生物質と結合したコンタクトレンズは、目に抗菌作用を提供できる。このような効果は、コンタクトレンズの他の機能、例えば、視力矯正及びカラーコンタクトレンズの美顔効果と組み合わせることができる。
【００３０】
続いて、具体的な実施例により、本発明において、どのように機能性成分含有コンタクトレンズ製品を有効に調製できるかをさらに詳しく説明する。
【００３１】
まず、工程Ｓ１００において、ヒドロキシエチルメタクリレート５０ｇを計量し、メタクリル酸（ＭＡＡ）２ｇを加える。
【００３２】
そして、工程Ｓ１１０において、重合開始剤である２−ヒドロキシ−２−メチル−１−フェニル−プロパン−１−オン（Ｃｉｂａ  ＴＭ  Ｄａｒｏｃｕｒ  ＴＭ  １１７３）１ｇ、及びエチレングリコールジメタクリレート（ＥＧＤＭＡ）１ｇを加える。得られたモノマー混合物を３５℃、２００回転／分間で１時間攪拌する。
【００３３】
工程Ｓ１２０において、α−シクロデキストリン２５ｍｇを計量して、４５℃、２５０ｒｐｍで１時間攪拌し、脱イオン水１ｍｌに溶解させる。溶解後、α−シクロデキストリンの水溶液を上記モノマー混合物に加える。例えば、α−シクロデキストリン水溶液５０ｍｌを、ＨＥＭＡ−ＭＡＡ−Ｄａｒｏｃｕｒ  １１７３−ＥＧＤＭＡのモノマー混合物９５０ｍｌに加え、澄むまで攪拌する。
【００３４】
もう１つの実施例において、工程Ｓ１２０は、環状オリゴ糖／多糖に対して修飾する下記工程を含む。
４５℃、２５０ｒｐｍで１時間攪拌することにより、β−シクロデキストリン２２ｍｇを脱イオン水１ｍｌに溶解させる。この溶液にクロロ酢酸０．１ｍｌを加える。得られた混合物を６０℃まで加熱し、３００ｒｐｍで４時間攪拌する。その後、白色の細かい粉末を得るまで、溶液混合物を７０℃のオーブンで真空乾燥させる。得られた粉末が、化学修飾された環状オリゴ糖である。更に、白色粉末１５ｍｇを脱イオン水溶液１ｍｌに加え、そして、この溶液をＨＥＭＡ−ＭＡＡ−Ｄａｒｏｃｕｒ  １１７３−ＥＧＤＭＡ  ４９９ｍｌと混合して、澄むまで攪拌する。
【００３５】
上記工程Ｓ１２０に続き、工程Ｓ１３０において、上記モノマー混合物を型に流し込み、波長３１０〜３７０ｎｍであるＵＶ光を利用して、光度エネルギー２８〜３２ｍＷ／ｃｍで４０分間硬化させる。
【００３６】
工程Ｓ１４０において、硬化した後、８０℃の２０％エタノールで３０分間浸漬することにより、型からコンタクトレンズのレンズ本体を取り出す。そして、レンズ本体を８０℃の脱イオン水で４５分間洗浄することにより、余分な未反応の化学物質を除去する。
【００３７】
工程Ｓ１５０において、水１０００ｍｌに、塩化ナトリウム８ｇ、リン酸水素二ナトリウム二水和物２．５ｇ、リン酸二水素ナトリウム二水和物塩０．４ｇを加えることにより、緩衝液４０を調製する。この溶液に１００ｍｇのビタミンＢ１２を加えて攪拌し、溶液となる。そして、この溶液を利用して上記洗浄したレンズ本体を保存する。レンズ本体及び緩衝液をポリプロピレン容器内に入れる。
【００３８】
最後に、工程Ｓ１６０において、レンズ本体を有するポリプロピレン容器を、蒸気加熱又はガンマ線サイクルで滅菌する。この工程が完成した後、利用者は、コンタクトレンズを目に装着できる。
【００３９】
さらに、本発明は、高速液体クロマトグラフィー（ＨＰＬＣ）によって、機能性成分含有コンタクトレンズが使用時間につれて放出する機能性成分の累積結果を測定した。図２に示すように、本発明の環状オリゴ糖又は多糖を含む３８％ＨＥＭＡコンタクトレンズは、長時間（１２時間以上）ビタミンＢ１２を放出できる。図３に示すように、本発明の環状オリゴ糖又は多糖を含む４３％シリコーンハイドロゲルコンタクトレンズは、長時間（１２時間以上）ビタミンＢ１２を放出できる。図４に示すように、本発明の環状オリゴ糖又は多糖を含む３８％ＨＥＭＡコンタクトレンズは、長時間（２０時間以上）クルクミンを放出できる。図５に示すように、本発明の環状オリゴ糖又は多糖を含む３８％ＨＥＭＡコンタクトレンズは、長時間（２０時間以上）クェルセチンを放出できる。図６に示すように、本発明の環状オリゴ糖又は多糖を含む３８％ＨＥＭＡコンタクトレンズは、長時間（３０時間以上）ルテインを放出できる。
【００４０】
結論として、本発明の機能性成分含有コンタクトレンズ、及びその製品によると、レンズ本体の重合物マトリックスに少なくとも一つのバインダーを加え、このバインダーが各機能性成分と結合できることで、機能性成分がレンズ本体から長時間に安定に放出できる。よって、利用者が機能性成分含有コンタクトレンズを目に装着したとき、機能性成分が持続的にコンタクトレンズから眼部領域に放出できて、機能性成分が有する有益効果を発揮できる。そして、ほこり、汚れ、煙及び汚染等の環境による各種の目の不快な状況を軽減できる。
【００４１】
上記内容は、あくまでは本発明の好ましい実施例であり、本発明の範囲を限定するものではない。よって、本発明の請求の範囲に記載の特徴及びその精神に基づく均等な置換およびその他の改良は、当然、本発明の請求の範囲に含まれるものとする。
【符号の説明】
【００４２】
１０  機能性成分含有コンタクトレンズ製品
２０  レンズ本体
３０  包装物
４０  緩衝液
【図１】
2020027247.tif 000003
【図２】
2020027247.tif 000004
【図３】
2020027247.tif 000005
【図４】
2020027247.tif 000006
【図５】
2020027247.tif 000007
【図６】
2020027247.tif 000008